(57)【特許請求の範囲】
【請求項１】
建物の屋外側に、下方に繰り出し可能に取付けたスクリーンと、
このスクリーンの下端縁に取付けたボトムバーと、
前記建物の屋外側に突出して設けられた受け部材を備え、
前記ボトムバーを受け部材に係合してスクリーンを繰り出し状態で保持するロールスクリーン装置において、
前記ボトムバーは高さが幅よりも大きな軸を備え、
前記受け部材は、前記軸が嵌まり合う係合溝を備え、
この係合溝は、縦溝と、この縦溝の上下方向中間と受け部材の下面又は上面に連続した斜めの部分を有する出入用溝を有し、この出入用溝の斜めの部分の最小溝幅が軸の高さよりも小さく軸の幅よりも大きい形状であることを特徴とするロールスクリーン装置。
【請求項２】
係合溝の縦溝に沿って軸が上下に移動可能で、その縦溝の上部が前記軸が当接するストッパ部を形成し、その縦溝の下部が前記軸が当接する受け部を形成している請求項１記載のロールスクリーン装置。
【請求項３】
出入用溝は受け部材の下面に開口し、その出入用溝は斜めの形状又は、下面開口側の斜めの下部分と垂直は中間部分と斜めの上部分でほぼくの字形状とした請求項１又は２記載のロールスクリーン装置。
【請求項４】
出入用溝は受け部材の上面に開口し、その出入用溝は上面開口側斜めの上部分と垂直な中間部分と斜めの下部分でほぼくの字形状とした請求項１又は２記載のロールスクリーン装置。
【発明の詳細な説明】
【０００１】
【発明の属する技術分野】
本発明は、建物の屋外側に取付けられ、建物の開口部から光が室内に入り込むことを防止するロールスクリーン装置に関する。
【０００２】
【従来の技術】
特開平１０−２８０８３１号公報に示すロールスクリーン装置が知られている。
このロールスクリーン装置は、巻取部と、この巻取部に巻き取り付勢して巻掛けたスクリーンと、このスクリーンの下端縁に取付けた係止部材と、ストッパを備え、巻取部を建物の屋外側に取付けると共に、ストッパを建物の屋外側に取付け、スクリーンを巻き取ることで建物の開口部（サッシ）を開放し、スクリーンを繰り出して係止部材をストッパに係合することで建物の開口部を覆って建物の開口部から光が室内に入り込むことを防止（つまり、遮光）している。
【０００３】
【発明が解決しようとする課題】
前述のロールスクリーン装置の係止部材はスクリーンの幅よりも長い丸棒形状で、ストッパの下面に半円形凹部の係合部が形成してある。
そして、スクリーンの張力で係止部材を係合部に係合してスクリーンを繰り出し状態で保持している。
前述のようにしてスクリーンを繰り出し状態で保持しているので、強風等によってスクリーンが破れると係止部材が係合部から外れ、スクリーンの破れた個所よりも下の部分が係合部材とともに自重で落下する。
【０００４】
そこで、本発明は前述の課題を解決できるようにしたロールスクリーン装置を提供することを目的とする。
【０００５】
【課題を解決するための手段】
第１の発明は、建物の屋外側に、下方に繰り出し可能に取付けたスクリーンと、
このスクリーンの下端縁に取付けたボトムバーと、
前記建物の屋外側に突出して設けられた受け部材を備え、
前記ボトムバーを受け部材に係合してスクリーンを繰り出し状態で保持するロールスクリーン装置において、
前記ボトムバーは高さが幅よりも大きな軸を備え、
前記受け部材は、前記軸が嵌まり合う係合溝を備え、
この係合溝は、縦溝と、この縦溝の上下方向中間と受け部材の下面又は上面に連続した斜めの部分を有する出入用溝を有し、この出入用溝の斜めの部分の最小溝幅が軸の高さよりも小さく軸の幅よりも大きい形状であることを特徴とするロールスクリーン装置である。
【０００６】
第２の発明は、第１の発明において、係合溝の縦溝に沿って軸が上下に移動可能で、その縦溝の上部が前記軸が当接するストッパ部を形成し、その縦溝の下部が前記軸が当接する受け部を形成しているロールスクリーン装置。
【０００７】
第３の発明は、第１又は第２の発明において、出入用溝は受け部材の下面に開口し、その出入用溝は斜めの形状又は、下面開口側の斜めの下部分と垂直は中間部分と斜めの上部分でほぼくの字形状としたロールスクリーン装置である。
【０００８】
第４の発明は、第１又は第２の発明において、出入用溝は受け部材の上面に開口し、その出入用溝は上面開口側斜めの上部分と垂直な中間部分と斜めの下部分でほぼくの字形状としたロールスクリーン装置である。
【０００９】
【作用】
第１の発明によれば、軸を係合溝に嵌め合うことで、その軸が縦溝の上部に当接してスクリーンを繰り出し状態に保持できる。
前述の状態でスクリーンが破れると軸は縦溝に沿って下方に移動して縦溝の下部に当接するので、ボトムバーが受け部材から落下することがない。
また、縦溝に嵌め合っている軸を係合溝から抜け出すには、その軸を斜めとして出入用溝の斜めの部分を通過させなければならない。これによって繰り出し状態で保持しているスクリーンが強風等でバタツキして軸が動いても出入用溝を通過しないので、ボトムバーが受け部材から抜けることを防止できる。
【００１０】
【発明の実施の形態】
図１に示すように、建物外壁１の開口部２にサッシ３が取付けてあり、これによって建物の開口部を形成している。
前記建物外壁１の開口部２よりも上方部分にケース４が取付けてあり、このケース４内に複数のシャッタースラット５が巻き取り、繰り出し自在に設けてある。
前記サッシ３を形成する縦枠６には、図２に示すように縦カバー７が取付けてあり、この縦カバー７にブラケット８を介して縦ガイド９が取付けてある。
前記縦ガイド９に沿ってシャッタースラット５が昇降自在にガイドされ、サッシ３の室外側を開閉する雨戸シャッター装置を形成している。
【００１１】
前記ケース４の下部室外寄りに巻取りロール１０が左右一対のブラケット１１で回転自在に取付けてあり、この巻取りロール１０にスクリーン１２が巻掛けてある。
前記巻取りロール１０は建物外壁１よりも屋外側に位置し、スクリーン１２は下方に繰り出し可能である。
すなわち、建物の屋外側にロール巻取り式のスクリーン１２が下方へ繰り出し可能に取付けてある。
【００１２】
前記スクリーン１２の下端縁にボトムバー１３が取付けてある。このボトムバー１３は図３に示すようにスクリーン１２の幅よりも長尺な本体１４と、その本体１４の長手方向両端部にそれぞれ設けた係止部材１５で形成してある。
前記ケース４の下部室外寄りにおける巻取りロール１０よりも左右両端寄りに左右一対の支持片１６がそれぞれ取付けてある。
【００１３】
前記巻取りロール１０は図示しないスプリング等で巻き取り方向に回転付勢され、スクリーン１２は常時巻き取りされてボトムバー１３（本体１４）が前記一対の支持片１６に当接している。
前記ボトムバー１３（本体１４）の長手方向中間部に引張り用コード１７が取付けてあり、この引張り用コード１７を持って引張ることでスクリーン１２が繰り出しされる。
【００１４】
前記左右のブラケット８の下端部分に左右の受け部材２０が屋外側に向けてそれぞれ取付けてある。この左右の受け部材２０に前記左右の係止部材１５をそれぞれ係合してスクリーン１２を繰り出し状態で保持し、サッシ３から室内に光が入り込むことを防止（つまり、遮光）している。
【００１５】
図４と図５と図６に示すように、前記受け部材２０は厚肉の基部２１と薄肉の先部２２で縦板状で、その基部２１がブラケット８にビス２３で固着してある。
前記先部２２には係合溝２４が形成してある。
この係合溝２４は、縦溝２５と、この縦溝２５の上下方向中間部と受け部材２０の下面２０ａを連続する斜めの出入用溝２６で略ト字形状である。前記縦溝２５の上部がストッパ部２７を形成し、縦溝２５の下部が受け部２８を形成している。
【００１６】
前記係止部材１５は軸３０とフランジ３１を備え、その軸３０が本体１４の長手方向端面における中心よりも下方に設けてある。
前記軸３０は高さが幅よりも大きな断面ほぼ長円形状で、軸３０の長さは受け部材２０の先部２２の厚さよりも大きい。前記フランジ３１は軸３０よりも大きい。
前記軸３０が係合溝２４に係合し、フランジ３１で左右方向に抜け出すことを防止する。
【００１７】
前記係合溝２４を形成する縦溝２５の溝幅は軸３０の幅よりも若干大きく、軸３０は縦溝２５に沿って上下に移動可能で、ストッパ部２７、受け部２８に当接する。
前記出入用溝２６の上下中間部分の溝幅（最小溝幅）は軸３０の高さよりも小さく、幅よりも若干大きい。
【００１８】
次にボトムバー１３を受け部材２０に係合する動作を説明する。
図５に１点鎖線で示すようにボトムバー１３の係止部材１５を受け部材２０よりも下方まで移動し、軸３０を係合溝２４の出入用溝２６と対向する。
ボトムバー１３を上方に移動して２点鎖線で示すように軸３０を出入用溝２６に入れ、３点鎖線で示すように軸３０を斜めとして出入用溝２６の最小溝幅部分を通過し、縦溝２５に入れる。
この後に軸３０を垂直として縦溝２５に沿って上方に移動し、実線で示すようにストッパ部２７に当接し、ボトムバー１３の両端部分（係止部材１５）を左右の受け部材２０に係合してスクリーン１２を繰り出し状態で保持する。
【００１９】
前述の状態でスクリーン１２が強風等で破れると、ボトムバー１３は自重で縦溝２５に沿って下方に移動するが、出入用溝２６は斜めであるからボトムバー１３は出入用溝２６に向けて移動せずに真っ直ぐ下に向けて移動し、軸３０が受け部２８に当接する。
これによって、ボトムバー１３が受け部２０から落下することを防止できる。
【００２０】
しかも、軸３０は図５に３点鎖線で示すように斜めの姿勢とならないと出入用溝２６を通過できないので、より一層確実にボトムバー１３の落下が防止される。
【００２１】
また、前述の状態でスクリーン１２が強風でバタツキし、ボトムバー１３の上下方向、軸３０の幅方向にくり返して動いた場合に、その軸３０が係合溝２４の出入用溝２６から外部に出ようとするが、その軸３０は高さが幅よりも大きく、係合部２４の出入用溝２６の最小溝幅は軸３０の高さよりも小さく、かつ幅よりも若干大きいので、軸３０が斜めの姿勢で、斜め方向に移動しないと出入用溝２６を通過できない。
【００２２】
これによって、スクリーン１２が強風でバタツキしても係止部材１５が受け部材２０の係合部２４から外れることがなく、ボトムバー１３が受け部材２０から外れてサッシの窓ガラスを破損等することがない。
【００２３】
前記受け部材２０の係合溝２４の第２の実施の形態を説明する。
図７に示すように、係合溝２４の出入用溝２６を下面開口側の斜め下部分と垂直な中間部分と斜めの上部分でほぼくの字形状としてある。
このようにすれば、係止部材１５の軸３０は２点鎖線で示すように斜めとして出入用溝２６に入り込み、３点鎖線で示すように垂直として真上に移動し、再び４点鎖線で示すように斜めとして最小溝幅部分を通って出入用溝２６を通過するので、軸３０を係合溝２４内に入れ易い。
【００２４】
前記受け部材２０の係合溝２４の第３の実施の形態を説明する。
図８に示すように、係合溝２４の出入用溝２６を受け部材２０の上面２０ｂに開口する。この出入用溝２６を上面開口側の斜めの上部分と垂直な中間部分と斜めの下部分でほぼくの字形状としてあるし、係合溝２４を略Ｃ字形状としてある。
このようにすれば、係止部材１５の軸３０は受け部材２０の上方から２点鎖線で示すように斜めとして出入用溝２６に入り込み、３点鎖線で示すように垂直として真下に移動し、再び４点鎖線で示すように斜めとして最小溝幅部分を通って出入用溝２６を通過するので、軸３０を係合溝２４内に入れ易い。
【００２５】
以上の各実施の形態における左右の受け部材２０を、その係合溝２４及び係合溝２４に係合した軸３０が左右一側方から目視されない形状とし、その受け部材２０の外観を見栄え良くしても良い。
【００２６】
例えば、図９と図１０に示すように、受け部材２０の左右一側部にカバー４０を取付ける。
このカバー４０は受け部材２０の側面形状と略同一形状の縦板４１と、この縦板４１の上縁に一体的に設けられ前記受け部材２０の上面２０ｂと略同一形状の上突出片４２と、縦板４１の先端縁に上突出片４２と連続して一体的に設けられ前記受け部材２０の先端面２０ｃと略同一形状の先端突出片４３と、縦板４１の下縁における基部寄りに一体的に設けられ前記受け部材２０の基部２１の下面２０ｄと略同一形状の下突出片４４を備えている。
【００２７】
前記縦板４１における受け部材２０の基部２１と対向した基部縦板４１ａは厚肉で、かつ基部２１の左右両側面に形成した凹部２１ａに嵌合する凸部４５が一体的に設けてある。
前記縦板４１における受け部材２０の先部２２と対向した先部縦板４１ｂは薄肉である。
【００２８】
図１０と図１１に示すように受け部材２０とカバー４０を嵌め合せることで、受け部材２０の上面２０ｂ、先端面２０ｃ、下面２０ｄにカバー４０の上突出片４２、先端突出片４３、下突出片４４が接する。縦板４１の基部縦板４１ａが受け部材２０の基部２１の左右一側面に接する。縦板４１の先部縦板４１ｂが受け部材２０の先部２２の左右一側面と間隔を置いて対向し、図１１に示すように空隙部４６を形成する。
この空隙部４６は下方に開口している。
前記受け部材２０の係合溝２４は下方に開口する。
【００２９】
このようであるから、軸３０を係合溝２４に係合する時にフランジ３１が空隙部４６内に入り込むので、軸３０を係合溝２４に係合できる。
また、軸３０を係合溝２４に係合した状態では、係合溝２４及び軸３０、フランジ３１が縦板４１によって左右側方から見えないので、外観の見栄えが良い。
【００３０】
受け部材２０の係合溝２４が図８に示すように上面２０ｂに開口している形状の場合には、カバー４０を上下反対の形状として空隙部４６を上方に開口させる。
【００３１】
前記受け部材２０を図１２、図１３、図１４に示す形状としても良い。
受け部材２０の厚さを前述した各実施の形態の受け部材２０よりも厚くする。その先部２２の厚さ方向一側部に下面に開口した空洞部５０を形成し、厚さ方向他側部に係合溝２４を形成し、その係合溝２４を空洞部５０と連続させ、係合溝２４が左右一側方から見えないようにする。
受け部材２０の左右一側面２０ｅは凸円孤形状である。
【００３２】
前述の受け部材２０とすることで、軸３０を係合溝２４に係合する時にフランジ３１が空洞部５０に入り込むので、軸３０を係合溝２４に係合できる。
軸３０が係合溝２４に係合した状態では、軸３０、フランジ３１が空洞部５０内に入り込んで左右一側方から見えないと共に、係合溝２４が左右一側方から見えないので、外観の見栄えが良い。
【００３３】
また、受け部材２０の係合溝２４を図８に示すような上面に開口した形状とすると共に、空洞部５０を上方に開口した形状としても良い。
【００３４】
【発明の効果】
請求項１に係る発明によれば、軸を係合溝に嵌め合うことで、その軸が縦溝の上部に当接してスクリーンを繰り出し状態に保持できる。
前述の状態でスクリーンが破れると軸は縦溝に沿って下方に移動して縦溝の下部に当接するので、ボトムバーが受け部材から落下することがなく安全である。
また、縦溝に嵌め合っている軸を係合溝から抜け出すには、その軸を斜めとして出入用溝の斜めの部分を通過させなければならない。これによって繰り出し状態で保持しているスクリーンが強風等でバタツキして軸が動いても出入用溝を通過しないので、ボトムバーが受け部材から抜けることを防止できる。
【図面の簡単な説明】
【図１】  ロールスクリーン装置の取付け状態の縦断面図である。
【図２】  ロールスクリーン装置の取付け状態の下部横断面図である。
【図３】  スクリーン取付部分の横断面図である。
【図４】  受け部材と係止部材の拡大平面図である。
【図５】  図４のＡ−Ａ断面図である。
【図６】  受け部材と係止部材の斜視図である。
【図７】  受け部材と係止部材の第２の実施の形態を示す正面図である。
【図８】  受け部材と係止部材の第３の実施の形態を示す正面図である。
【図９】  受け部材とカバーの分解斜視図である。
【図１０】  受け部材とカバーを嵌め合せた状態の側面図である。
【図１１】  受け部材とカバーを嵌め合せた状態の底面図である。
【図１２】  受け部材の第４の実施の形態を示す斜視図である。
【図１３】  受け部材の側面図である。
【図１４】  受け部材の底面図である。
【符号の説明】
１…建物外壁、２…開口部、３…サッシ、４…ケース、１０…ロール軸、１２…スクリーン、１３…ボトムバー、１４…本体、１５…係止部、２０…受け部材、２０ａ…下面、２０ｂ…上面、２４…係合溝、２５…縦溝、２６…出入用溝、２７…ストッパ部、２８…受け部、３０…軸、３１…フランジ、４０…カバー、４１…縦板、４１ａ…基部縦板、４１ｂ…基部縦板、４６…空隙部、５０…空洞部。
【図１】
0003752659.tif 000002
【図２】
0003752659.tif 000003
【図３】
0003752659.tif 000004
【図４】
0003752659.tif 000005
【図５】
0003752659.tif 000006
【図６】
0003752659.tif 000007
【図７】
0003752659.tif 000008
【図８】
0003752659.tif 000009
【図９】
0003752659.tif 000010
【図１０】
0003752659.tif 000011
【図１１】
0003752659.tif 000012
【図１２】
0003752659.tif 000013
【図１３】
0003752659.tif 000014
【図１４】
0003752659.tif 000015